(57)【特許請求の範囲】
【請求項１】
先端部で２つに分割されて第１と第２チャック片が備えられた筆記芯把持チャックであって、
前記第１チャック片には軸芯に直交する断面がＶ字状に形成された芯把持部が形成されると共に、前記第２チャック片には軸芯に直交する断面が平面状態に構成された芯把持部が形成され、
前記第１チャック片に形成された芯把持部は、把持する筆記芯の半径よりも深く形成されていて、前記第１チャック片に施されたＶ字状の芯把持部の二点と、前記第２チャック片に施された平面状態の芯把持部の一点で、前記筆記芯を把持することを特徴とする筆記芯把持チャック。
【請求項２】
先端部で２つに分割されて第１と第２チャック片が備えられた筆記芯把持チャックであって、
前記第１チャック片には軸芯に直交する断面が、把持する筆記芯の曲率よりも大きな湾曲面による芯把持部が形成されると共に、前記第２チャック片には軸芯に直交する断面が平面状態に構成された芯把持部が形成され、
前記第１チャック片に形成された芯把持部は、把持する筆記芯の半径よりも深く形成されていて、前記第１のチャック片に施された湾曲面による芯把持部の一点と、前記第２のチャック片に施された平面状態の芯把持部の一点で、前記筆記芯を把持することを特徴とする筆記芯把持チャック。
【請求項３】
先端部で２つに分割されて第１と第２チャック片が備えられた筆記芯把持チャックであって、
前記第１チャック片には軸芯に直交する断面が、把持する筆記芯の曲率よりも大きな湾曲面による芯把持部が形成されると共に、前記第２チャック片には軸芯に直交する断面が平面もしくは前記第１のチャック片に施された芯把持部の湾曲面よりも曲率がさらに大きな湾曲面による芯把持部が形成され、
前記第１のチャック片に施された湾曲面による芯把持部の一点と、前記第２のチャック片に施された平面もしくは湾曲面による芯把持部の一点で、前記筆記芯を把持することを特徴とする筆記芯把持チャック。
【請求項４】
前記筆記芯把持チャックが、弾性を有する樹脂素材により構成されていることを特徴とする請求項１ないし請求項３のいずれか１項に記載の筆記芯把持チャック。
【請求項５】
前記第１チャック片に形成された芯把持部は、把持する筆記芯の半径よりも浅く形成され、前記第２チャック片に形成された芯把持部は、把持する筆記芯の半径よりも浅い凹みの内底部に形成されていることを特徴とする請求項３または請求項４に記載の筆記芯把持チャック。
【請求項６】
請求項１ないし請求項５のいずれか１項に記載の筆記芯把持チャックを備えたことを特徴とするシャープペンシル。
【発明の詳細な説明】
【技術分野】
【０００１】
この発明は、ノック部材の操作により筆記芯が順次繰り出されるシャープペンシルに関し、特に筆記芯を把持するチャックに改良を施した筆記芯把持チャックおよびシャープペンシルに関する。
【背景技術】
【０００２】
シャープペンシルは周知のとおり、例えば軸筒の尾端部に配置されたノック部材をノック操作することにより、軸筒前端部の口先部より筆記芯を順次繰り出すことができるように作用する。この筆記芯の繰り出しならびに筆記芯を把持する機能を果すために、口先部付近に筆記芯把持チャック（以下、単にチャックとも呼ぶ。）が配置されている。
このチャックは金属あるいは樹脂素材により形成されており、特に低価格帯向けの商品については、大量生産が可能な樹脂素材によるものが採用されている。
【０００３】
このような樹脂素材により成形されたチャックによると、金属によるチャックに比較して、筆記芯の把持力が十分ではない。したがって、前記把持力を補うためにチャックの芯把持部における曲率半径を、使用する芯の半径よりも若干小さく形成させたチャックの構成が特許文献１の図６に開示されている。
【０００４】
この構成によると、筆記芯にチャックの角が食い込むように作用するので、チャックによる筆記芯の把持力を増加させることができる。しかしながら前記したチャックの構成によると、筆記芯が折損し易いので、特許文献１にはこの問題を改善することについての開示がなされている。
【先行技術文献】
【特許文献】
【０００５】
【特許文献１】特開２０００−２８０６８３号公報
【０００６】
ところで、特許文献１に開示された樹脂製のチャックは、先端部が３分割された構成であり、このような３分割のチャックは、これを樹脂成形する金型が複雑化し、これに基づく離型の問題や、その他の技術的な問題が発生しやすい。したがってこのような技術的な問題を回避するには、２分割のチャックとすることが望ましい。しかしながら２分割のチャックを樹脂成形するにあたっては、次に示すような別の技術的な課題が発生する。
【０００７】
すなわち、２分割のチャックは、その軸芯に沿った面を境にして先端部が上下に分割されることになる。そして、従来より上下に分れた各チャック片の芯把持部には、軸方向に沿ってＶ字状の溝が対向するようにして形成されている。
このように軸方向にＶ字状の溝（芯把持部）を互いに対向するようにして形成させるには、チャックの樹脂成形時においてチャックの中心部に配置されるコアピンの加工精度を高める必要がある。
【０００８】
一般に、樹脂成形時においてチャックの中心部に配置される前記コアピンを機械加工するには、先ずコアピンとなる素材の軸芯に沿った半周面に逆Ｖ字状の切削加工が施される。その後に、素材を１８０度軸回転させて、同様に残りの半周面に逆Ｖ字状の切削加工を施すことで、前記コアピンが成形される。
したがって、コアピンの軸を中心とした上半部と下半部における逆Ｖ字状の溝位置に、機械加工上においてずれが生じ易いという問題が発生する。
【０００９】
図８Ａおよび図８Ｂは、前記したコアピンを利用してチャック５を樹脂成形した例を示している。
すなわち、チャック５の先端部が上下に分割されて第１チャック片５ａと第２チャック片５ｂになされ、各チャック片５ａ，５ｂの内面に断面がＶ字状の芯把持部５ｅ，５ｆがそれぞれ対向して形成されている。
そして図８Ａは、上下のＶ字状の芯把持部５ｅ，５ｆに水平方向のずれのない理想的な状態を示したチャックの断面図であり、図８Ｂは、上下のＶ字状の芯把持部５ｅ，５ｆにずれが生じた場合の例を、軸方向に直交する方向の断面図で示している。なお図に示す筆記芯Ｌの直径は、０．５ｍｍである。
【００１０】
上下のＶ字状の芯把持部５ｅ，５ｆにずれのない理想的な状態のチャック５は、図８Ａに示すように、上下のチャック片５ａ，５ｂにそれぞれ施された対向するＶ字状の四点で、筆記芯Ｌが把持されることになる。
これに対して、上下のＶ字状の芯把持部５ｅ，５ｆにずれが生じたチャック５によると、図８Ｂに示すように、上下のチャック片５ａ，５ｂにそれぞれ施されたＶ字状の芯把持部５ｅ，５ｆの対角線上の２点で、筆記芯Ｌが把持されることになる。このためにチャック５に把持された状態の筆記芯Ｌの位置は安定せずに、しかも筆記芯Ｌには剪断力が働き、筆記芯Ｌはチャック５において頻繁に折損するという問題が発生する。
【００１１】
なお、前記した上下のＶ字状の芯把持部５ｅ，５ｆの位置ずれは、たとえコアピンの仕上がり精度が高くても、樹脂の冷却時の引けによって生ずる場合もあり、チャック５における筆記芯Ｌの折損は、前記したコアピンの仕上がり精度の向上のみでは解決し得ない問題も含んでいる。
【発明の概要】
【発明が解決しようとする課題】
【００１２】
この発明は、前記した技術的な観点に基づいてなされたものであり、２分割されたチャック片において、第１と第２のチャック片に機械的なずれが生じても、常に安定した状態で筆記芯を把持することができる筆記芯把持チャックを提供しようとするものであり、これにより、筆記芯の折損を効果的に防止し得るシャープペンシルを提供することを課題とするものである。
【課題を解決するための手段】
【００１３】
前記した課題を解決するためになされたこの発明に係る筆記芯把持チャックの第１の好ましい形態は、先端部で２つに分割されて第１と第２チャック片が備えられた筆記芯把持チャックであって、前記第１チャック片には軸芯に直交する断面がＶ字状に形成された芯把持部が形成されると共に、前記第２チャック片には軸芯に直交する断面が平面状態に構成された芯把持部が形成され、前記第１チャック片に形成された芯把持部は、把持する筆記芯の半径よりも深く形成されていて、前記第１チャック片に施されたＶ字状の芯把持部の二点と、前記第２チャック片に施された平面状態の芯把持部の一点で、前記筆記芯を把持するように構成される。
【００１４】
また、この発明に係る筆記芯把持チャックの第２の好ましい形態は、先端部で２つに分割されて第１と第２チャック片が備えられた筆記芯把持チャックであって、前記第１チャック片には軸芯に直交する断面が、把持する筆記芯の曲率よりも大きな湾曲面による芯把持部が形成されると共に、前記第２チャック片には軸芯に直交する断面が平面状態に構成された芯把持部が形成され、前記第１チャック片に形成された芯把持部は、把持する筆記芯の半径よりも深く形成されていて、前記第１のチャック片に施された湾曲面による芯把持部の一点と、前記第２のチャック片に施された平面状態の芯把持部の一点で、前記筆記芯を把持するように構成される。
【００１５】
さらに、この発明に係る筆記芯把持チャックの第３の好ましい形態は、先端部で２つに分割されて第１と第２チャック片が備えられた筆記芯把持チャックであって、前記第１チャック片には軸芯に直交する断面が、把持する筆記芯の曲率よりも大きな湾曲面による芯把持部が形成されると共に、前記第２チャック片には軸芯に直交する断面が平面もしくは前記第１のチャック片に施された芯把持部の湾曲面よりも曲率がさらに大きな湾曲面による芯把持部が形成され、前記第１のチャック片に施された湾曲面による芯把持部の一点と、前記第２のチャック片に施された平面もしくは湾曲面による芯把持部の一点で、前記筆記芯を把持するように構成される。
【００１６】
この場合、前記した第１形態〜第３形態による筆記芯把持チャックは、望ましくはいずれも弾性を有する樹脂素材により構成される。
【００１７】
また、前記した第３形態による筆記芯把持チャックは、一つの好ましい形態として、前記第１チャック片に形成された芯把持部は、把持する筆記芯の半径よりも浅く形成され、前記第２チャック片に形成された芯把持部は、把持する筆記芯の半径よりも浅い凹みの内底部に形成される。
【００１８】
そして、前記した筆記芯把持チャックを採用したシャープペンシルによれば、次に示す発明の効果の欄に記載した独自の作用効果を得ることができる。
【発明の効果】
【００１９】
この発明によれば、先端部で２つに分割された筆記芯把持チャックにおいて、対向する第１と第２のチャック片に成形上においてたとえずれが生じても、第１と第２のチャック片における各芯把持部の組み合わせ構成を前記したように選定することで、常に安定した状態で筆記芯を把持することができる。
したがって、筆記芯の折損を効果的に防止し得るシャープペンシルを提供することが可能となる。
【図面の簡単な説明】
【００２０】
【図１】この発明に係るシャープペンシルの全体構成を示した中央断面図である。
【図２】図１に示すシャープペンシルの口先部分の拡大断面図である。
【図３Ａ】筆記芯把持チャックの全体構成を示した上面図である。
【図３Ｂ】図３ＡにおけるＡ−Ａ線より矢印方向に見た断面図である。
【図３Ｃ】筆記芯把持チャックの全体構成を示した正面図である。
【図３Ｄ】筆記芯把持チャックの左側面図である。
【図４Ａ】第１例のチャック片にずれのない状態を示した模式図である。
【図４Ｂ】第１例のチャック片にずれが生じた場合の模式図である。
【図５Ａ】第２例のチャック片にずれのない状態を示した模式図である。
【図５Ｂ】第２例のチャック片にずれが生じた場合の模式図である。
【図６】第３例のチャック片を示した模式図である。
【図７】第４例のチャック片を示した模式図である。
【図８Ａ】従来のチャックにおけるチャック片にずれのない状態を示した模式図である。
【図８Ｂ】従来のチャックにおけるチャック片にずれが生じた場合の模式図である。
【発明を実施するための形態】
【００２１】
以下、この発明に係るシャープペンシルについての全体構成を図に基づいて説明した後に、これに用いられる筆記芯把持チャックの好ましい例について説明する。
なお、以下に示す各図においては同一部分を同一符号で示しているが、一部の図面においては代表的な部分に符号を付け、その詳細な構成はその他の図面に付けた符号を引用して説明する場合もある。
【００２２】
図１および図２に示すシャープペンシルは、その外郭が樹脂製の軸筒１により構成されており、軸筒１の前半部は若干縮径されて、その外周にグリップ部材２が取り付けられている。
符号３は、前記軸筒１の先端部に取り付けられた口先部を示しており、この口先部３の後端部内周面に形成された雌ねじが、前記軸筒１の前端部外周面に形成された雄ねじに螺合されている。
【００２３】
前記軸筒１内には筒状の芯ケース４が軸筒１と同軸状に収容されており、この芯ケース４の先端部内周面には、チャック５の後端部が嵌合されて連結されている。
このチャック５は全体が弾性を有する樹脂素材により構成され、その軸心に沿って通孔が形成されている。またチャック５の先端部は２つに分割されて、分割された先端部がリング状に形成された金属製の締め具６内に遊嵌されるようにして装着されている。そしてリング状の前記締め具６は、前記チャック５の周囲を覆うようにして配置された円筒状に形成されたチャック収容体７の先端部内面に装着されている。
【００２４】
前記口先部３より突出するようにして先端パイプ８が配置されており、この先端パイプ８の基端部は前記口先部２内に位置する樹脂製の保持チャック９の先端部内面に嵌合されて取り付けられている。
前記樹脂製の保持チャック９は、図２に拡大して示したように、軸心部分に芯挿通孔が形成されると共に、この芯挿通孔の外側に軸方向に沿って円環状の溝９ａが施されている。この構成により保持チャック９は、軸心部分の芯挿通孔に位置する図示せぬ筆記芯に対して軽い摩擦を与えた状態で、筆記芯を一時的に保持する作用を果す。
【００２５】
一方、円筒状のチャック収容体７の後端部と、芯ケース４との間の軸方向の空間部には、コイル状のチャックスプリング１１が配置されている。このチャックスプリング１１の作用により、チャック収容体７内のチャック５は、芯ケース４と共に軸筒１内で後退する方向に付勢されている。
これにより、前記チャック５の先端部は、リング状の締め具６内に収容され、筆記芯は前記チャック５に把持された状態に保たれる。
【００２６】
なお、前記軸筒１の後端部には、クリップ支持体１ａが軸筒１と一体に形成されており、この支持体１ａを利用して、クリップ１３が軸筒１に沿って取り付けられている。また軸筒１の後端部に突出する前記芯ケース４の尾端部には、消しゴム１４が芯補給口を覆うようにして着脱可能に装着されている。そして、この消しゴム１４の外側を覆うようにして、ノックカバー１５が芯ケース４に取り付けられており、前記ノックカバー１５は軸筒１の後端部に突出するようにして配置されており、ノックカバー１５はノック操作部の機能を果すものとなる。
【００２７】
図１に示すシャープペンシルにおいては、軸筒１の後端部に突出するノック操作部（ノックカバー１５）をノック操作することで、前記芯ケース４が軸筒１内において前進し、これに連結されたチャック５も図示せぬ筆記芯を把持した状態で前進する。そして、チャック５の先端部が締め具６から突出することで、チャックが開いて筆記芯の把持状態が解除される。また前記ノック操作の解除により、チャックスプリング１１の作用によりチャック５、芯ケース４は軸筒１内において後退する。
【００２８】
この時、筆記芯は保持チャック９の通孔において摩擦により一時的に保持される。この状態でチャック５は後退して、その先端部が前記締め具６内に収容されることで、筆記芯は再びチャック５によって把持される。
すなわち、前記したノック操作部へのノック操作の繰り返しによる前記チャック５の前後運動により、チャック５は筆記芯の解除と把持を行い、これにより筆記芯は先端パイプ８から順次前方に繰り出されるように作用する。
【００２９】
図３Ａ〜図３Ｄは、筆記芯把持チャック５の単体を拡大して示したものである。このチャック５は、前記したとおり全体が弾性を有する樹脂素材、例えばポリアセタール、ナイロン、ポリプロピレン、ポリエチレン等を用いて成形される。
また、チャック５の先端部（前半部）は、軸方向に沿って上下２つに分割されることで、第１チャック片５ａと第２チャック片５ｂが備えられている。そしてチャック５の後半部は、前記した芯ケース４に嵌合して取り付けられる嵌合軸５ｃを構成しており、この円筒状の嵌合軸５ｃの軸芯部分には、筆記芯の挿通孔５ｄが形成されている。
【００３０】
さらに、上下に対向する第１および第２チャック片５ａ，５ｂの各内側面には、前記した芯挿通孔５ｄに挿通される筆記芯の芯把持部５ｅ，５ｆが形成されている。
なお、図３Ａ〜図３Ｄに示すチャック５においては、芯把持部５ｅ，５ｆとして断面がそれぞれＶ字状に形成された構成が例示されている。
樹脂成形により先端部が２分割されるチャック５における芯把持部５ｅ，５ｆの理想的な組み合わせ構成については、図４〜図７に基づいて、この後に説明する。
【００３１】
図４Ａおよび図４Ｂは、その第１の例を断面図で示したものであり、この例は第１チャック片５ａに形成される第１芯把持部５ｅは、軸芯に直交する断面がＶ字状に形成されている。この場合、Ｖ字状に形成された第１芯把持部５ｅは、把持する筆記芯Ｌの半径より浅く形成されている。また第２チャック片５ｂに形成される第２芯把持部５ｆは、把持する筆記芯Ｌの半径よりも浅い凹み５ｇの内底部に、軸芯に直交する断面が平面状となるように形成されている。
なお前記凹み５ｇの内底部に形成される第２芯把持部５ｆは、筆記芯Ｌの曲率よりも遥かに大きな曲率を有する湾曲面により構成されていてもよい。
【００３２】
そして図４Ａは、上下の芯把持部５ｅ，５ｆの間で水平方向にずれのない理想的な状態を示したチャック５の断面図であり、図４Ｂは、上下の芯把持部５ｅ，５ｆにずれが生じた場合の例を、軸方向に直交する方向の断面図で示している。
上下の芯把持部５ｅ，５ｆにずれのない理想的な状態のチャック５は、図４Ａに示すように、第１チャック片５ａに施されたＶ字状の芯把持部５ｅの二点と、第２チャック片５ｂに施された平面もしくは湾曲面による芯把持部５ｆの一点で、前記筆記芯Ｌを把持することになる。なお図に示す筆記芯Ｌの直径は、０．５ｍｍである。
【００３３】
一方、この第１の例によると、上下の芯把持部５ｅ，５ｆにたとえずれが生じても、図４Ｂに示すように第１チャック片５ａに施されたＶ字状の芯把持部５ｅの二点と、第２チャック片５ｂに施された平面もしくは湾曲面による芯把持部５ｆの一点で、前記筆記芯Ｌを把持することができる。したがって、チャック５に把持された筆記芯Ｌの位置は安定し、筆記芯Ｌに不要な剪断力が働くのを回避できるので、筆記芯Ｌの折損を防止することができる。
【００３４】
図５Ａおよび図５Ｂは、その第２の例を断面図で示したものであり、この例は第１チャック片５ａに形成される第１芯把持部５ｅは、把持する筆記芯Ｌの曲率よりも僅かに大きな湾曲面により構成されている。この場合、湾曲面により構成された第１芯把持部５ｅは、把持する筆記芯Ｌの半径より浅く構成されている。また第２チャック片５ｂに形成される第２芯把持部５ｆは、把持する筆記芯Ｌの半径よりも浅い凹み５ｇの内底部に、軸芯に直交する断面が平面状となるように形成されている。
なお前記凹み５ｇの内底部に形成される第２芯把持部５ｆは、前記第１のチャック片５ａに施された芯把持部５ｅの湾曲面よりも曲率がさらに遥かに大きな湾曲面により構成されていてもよい。
【００３５】
そして図５Ａは、上下の芯把持部５ｅ，５ｆの間で水平方向にずれのない理想的な状態を示したチャック５の断面図であり、図５Ｂは、上下の芯把持部５ｅ，５ｆにずれが生じた場合の例を、軸方向に直交する方向の断面図で示している。
上下の芯把持部５ｅ，５ｆにずれのない理想的な状態のチャック５は、図５Ａに示すように、第１チャック片５ａに施された湾曲面による芯把持部５ｅの一点と、第２チャック片５ｂに施された平面もしくは湾曲面による芯把持部５ｆの一点で、前記筆記芯Ｌを把持することになる。なお図に示す筆記芯Ｌの直径は、０．５ｍｍである。
【００３６】
一方、この第２の例によると上下の芯把持部５ｅ，５ｆにたとえずれが生じても、図５Ｂに示すように第１チャック片５ａに施された湾曲面による芯把持部５ｅの一点と、第２チャック片５ｂに施された平面もしくは湾曲面による芯把持部５ｆの一点で、前記筆記芯Ｌを把持することができる。
この第２の例においても第１の例と同様に、チャック５に把持された筆記芯Ｌの位置は安定し、筆記芯Ｌに不要な剪断力が働くのを回避できるので、筆記芯Ｌの折損を防止することができる。
【００３７】
図６は、第３の例を同様の断面図で示したものであり、この図６に示すチャック５の第３の例は、第１チャック片５ａに形成される第１芯把持部５ｅは、軸芯に直交する断面がＶ字状に形成されている。この場合、Ｖ字状に形成された第１芯把持部５ｅは、把持する筆記芯Ｌの半径より深く形成されている。一方、第２チャック片５ｂに形成される第２芯把持部５ｈは、平面状となるように構成されている。
すなわち、第１芯把持部５ｅを形成するＶ字状の二辺に対して、第２芯把持部５ｈの面が底辺となる二等辺三角形を構成している。
なお、前記第２芯把持部５ｈは、図に示すような平面状ではなく、把持する筆記芯Ｌの曲率よりも遥かに大きな曲率を有する湾曲面により構成されていてもよい。
【００３８】
この図６に示す第３の例によると、筆記芯Ｌは第１チャック片５ａに施されたＶ字状の芯把持部５ｅの二点と、第２チャック片５ｂに施された平面もしくは大きな曲率の湾曲面による芯把持部５ｆの一点で把持される。
そして、上下の芯把持部５ｅ，５ｆにずれがない状態、およびずれが生じた場合のいずれにおいても、前記した筆記芯Ｌの把持態様に変化は生じない。
したがって、この第３の例においても、前記した第１の例および第２の例と同様の作用効果を得ることができる。
【００３９】
図７は、第４の例を断面図で示したものであり、この図７に示すチャック５の第４の例は、第１チャック片５ａに形成される第１芯把持部５ｅは、把持する筆記芯Ｌの曲率よりも僅かに大きな湾曲面により構成されている。この場合、湾曲面になされた第１芯把持部５ｅは、把持する筆記芯Ｌの半径より深く形成されている。一方、第２チャック片５ｂに形成される第２芯把持部５ｈは、平面状となるように構成されている。
なお、前記第２芯把持部５ｈは、図に示すような平面状ではなく、把持する筆記芯Ｌの曲率よりも遥かに大きな曲率を有する湾曲面により構成されていてもよい。
【００４０】
この図７に示す例によると、筆記芯Ｌは第１チャック片５ａに施された湾曲面による芯把持部５ｅの一点と、第２チャック片５ｂに施された平面もしくは大きな曲率の湾曲面による芯把持部５ｈの一点で把持される。
そして、上下の芯把持部５ｅ，５ｆにずれがない状態、およびずれが生じた場合のいずれにおいても、前記した筆記芯Ｌの把持態様に変化は生じない。
したがって、この第４の例においても、前記した第１の例および第２の例と同様の作用効果を得ることができる。
【００４１】
斯くして、この発明に係る筆記芯把持チャックによると、対向する第１と第２のチャック片に樹脂成形上においてたとえずれが生じても、常に安定した状態で筆記芯を把持することができる。したがって、このチャックをシャープペンシルに利用することで、筆記芯の折損を効果的に防止し得るシャープペンシルを提供することができるなど、発明の効果の欄に記載したとおりの作用効果を得ることができる。
【符号の説明】
【００４２】
１      軸筒
２      グリップ部材
３      口先部
４      芯ケース
５      チャック
５ａ    第１チャック片
５ｂ    第２チャック片
５ｃ    嵌合軸
５ｄ    筆記芯挿通孔
５ｅ    第１芯把持部
５ｆ    第２芯把持部
５ｇ    凹み
５ｈ    平面状芯把持部
６      締め具
７      チャック収容体
８      先端パイプ
９      保持チャック
１１    チャックスプリング
１３    クリップ
１４    消しゴム
１５    ノックカバー
Ｌ      筆記芯
【図１】
0006649820.tif 000002
【図２】
0006649820.tif 000003
【図３Ａ】
0006649820.tif 000004
【図３Ｂ】
0006649820.tif 000005
【図３Ｃ】
0006649820.tif 000006
【図３Ｄ】
0006649820.tif 000007
【図４Ａ】
0006649820.tif 000008
【図４Ｂ】
0006649820.tif 000009
【図５Ａ】
0006649820.tif 000010
【図５Ｂ】
0006649820.tif 000011
【図６】
0006649820.tif 000012
【図７】
0006649820.tif 000013
【図８Ａ】
0006649820.tif 000014
【図８Ｂ】
0006649820.tif 000015